(57)【要約】【課題】異常事態が発生した場合に発生要因を特定することができる装身具型送信機、車両内送受信機、及び監視装置を提供する。【解決手段】装身具型の筐体と、筐体に設けられたスイッチと、スイッチが押されると異常報知信号を発生する異常報知信号発生手段と、異常報知信号を、モニタ及びスピーカで異常の発生、発生箇所、及び発生状況を報知する車両内送受信機に送信するための送信回路と、を備えた。【選択図】図１
0003167366.tif 000002
【実用新案登録請求の範囲】
【請求項１】
装身具型の筐体と、
該筐体に設けられたスイッチと、
該スイッチが押されると異常報知信号を発生する異常報知信号発生手段と、
前記異常報知信号を、モニタ及びスピーカで異常の発生、発生箇所、及び発生状況を報知する車両内送受信機に送信するための送信回路と、
を備えたことを特徴とする装身具型送信機。
【請求項２】
前記筐体に設けられ、前記スイッチが押されると撮影を開始する装身具側カメラと、
前記装身具側カメラの画像データを前記異常報知信号と共に前記送信回路で前記車両内送受信機に送信するように制御する送信機側制御回路と、
を備えたことを特徴とする請求項１記載の装身具型送信機。
【請求項３】
車両内のドアより高い位置に設けられた箱状の筐体と、
該筐体に設けられ前記車両の内部を撮影するための車両側カメラと、
装身具型送信機からの異常信号を受信すると前記車両側カメラからの画像データを監視装置に送り、該監視装置で特定人物以外の顔にモザイクが施された画像を受け取って表示すると共に異常発生情報を表示するためのモニタと、
前記装身具型送信機からの異常報知信号を受信すると警報を発するためのスピーカと、
前記車両内送受信機のモニタ及びスピーカで異常の発生、発生箇所、及び発生状況を報知するように制御する制御回路と、
を備えたことを特徴とする車両内送受信機。
【請求項４】
前記装身具型送信機から特定人物の顔の画像データを受信すると、前記車両側カメラからの画像データと前記装身具型送信機からの画像データとを解析処理して、前記モニタに特定人物以外の顔にモザイクが施された画像を表示することを特徴とする請求項３記載の車両内送受信機。
【請求項５】
車両内のドアより高い位置に設けられた箱状の筐体、該筐体に設けられ前記車両の内部を撮影するための車両側カメラ、前記筐体に設けられたモニタ、前記装身具型送信機からの異常報知信号を受信すると警報を発するためのスピーカ、及び前記車両内送受信機のモニタ及びスピーカで異常の発生、発生箇所、及び発生状況を報知するように制御する制御回路を有する車両内送受信機から画像データを解析して前記特定人物以外の顔にモザイク処理を施した画像を前記車両内送受信機に送って前記モニタに表示させることを特徴とする監視装置。
【請求項６】
前記装身具型送信機から特定人物の顔の画像データを受信すると、前記特定人物の顔を拡大処理した画像データを前記車両内送受信機に送って前記モニタに表示させることを特徴とする請求項５記載の監視装置。
【請求項７】
前記車両側カメラからの画像データを解析して顔画像と手及び胴体の線図とを組み合わせて特定人物のさらなる明確化を行う画像処理部を有することを特徴とする請求項５または６記載の監視装置。
【考案の詳細な説明】
【技術分野】
【０００１】
本考案は、車両内で異常が発生したことを報知するための装身具型送信機、車両内送受信機、及び監視装置に関する。
【背景技術】
【０００２】
電車やバス等の車両内で、乗客が痴漢、暴漢、テロリスト等に遭遇した場合に声を挙げて助けを求めるのは容易ではない。このため、通知者の操作により異常発生を送信する装置が提案されている（例えば、特許文献１参照）。
【０００３】
特許文献１に記載の発明は、「車両用異常事態報知装置」に関するものであり、具体的には「通知者の操作に応じて異常事態の発生を知らせる情報を含む異常情報を通知する異常事態通知手段と、異常事態が発生したことを報知する異常事態報知手段と、前記異常事態通知手段から異常情報を受信すると、前記異常事態報知手段に情報を送信して異常事態が発生したことを報知させる制御手段と、を含んで構成される」ものである。
【先行技術文献】
【特許文献】
【０００４】
【特許文献１】特開２００８−２５０９６６号公報
【考案の概要】
【考案が解決しようとする課題】
【０００５】
しかしながら、特許文献１に記載の発明は、異常事態の発生を知らせることはできても、例えば誰が痴漢であるのかが不明瞭であり、場合によっては痴漢でない人を痴漢として誤認し、警察に通報することで冤罪が生じることがある。
【０００６】
そこで、本考案は、異常事態が発生した場合に発生要因を特定することができる装身具型送信機、車両内送受信機、及び監視装置を提供することにある。
【課題を解決するための手段】
【０００７】
上記課題を解決するため、請求項１に記載の考案は、装身具型の筐体と、該筐体に設けられたスイッチと、該スイッチが押されると異常報知信号を発生する異常報知信号発生手段と、前記異常報知信号を、モニタ及びスピーカで異常の発生、発生箇所、及び発生状況を報知する車両内送受信機に送信するための送信回路と、を備えたことを特徴とする。
【０００８】
請求項２に記載の考案は、請求項１記載の考案において、前記筐体に設けられ、前記スイッチが押されると撮影を開始する装身具側カメラと、前記装身具側カメラの画像データを前記異常報知信号と共に前記送信回路で前記車両内送受信機に送信するように制御する送信機側制御回路と、を備えたことを特徴とする。
【０００９】
請求項３に記載の考案は、車両内のドアより高い位置に設けられた箱状の筐体と、該筐体に設けられ前記車両の内部を撮影するための車両側カメラと、装身具型送信機からの異常信号を受信すると前記車両側カメラからの画像データを監視装置に送り、該監視装置で特定人物以外の顔にモザイクが施された画像を受け取って表示すると共に異常発生情報を表示するためのモニタと、前記装身具型送信機からの異常報知信号を受信すると警報を発するためのスピーカと、前記車両内送受信機のモニタ及びスピーカで異常の発生、発生箇所、及び発生状況を報知するように制御する制御回路と、を備えたことを特徴とする。
【００１０】
請求項４に記載の考案は、請求項３記載の考案において、前記装身具型送信機から特定人物の顔の画像データを受信すると、前記車両側カメラからの画像データと前記装身具型送信機からの画像データとを解析処理して、前記モニタに特定人物以外の顔にモザイクが施された画像を表示することを特徴とする。
【００１１】
請求項５に記載の考案は、車両内のドアより高い位置に設けられた箱状の筐体、該筐体に設けられ前記車両の内部を撮影するための車両側カメラ、前記筐体に設けられたモニタ、前記装身具型送信機からの異常報知信号を受信すると警報を発するためのスピーカ、及び前記車両内送受信機のモニタ及びスピーカで異常の発生、発生箇所、及び発生状況を報知するように制御する制御回路を有する車両内送受信機から画像データを解析して前記特定人物以外の顔にモザイク処理を施した画像を前記車両内送受信機に送って前記モニタに表示させることを特徴とする。
【００１２】
請求項６に記載の考案は、請求項５記載の考案において、前記装身具型送信機から特定人物の顔の画像データを受信すると、前記特定人物の顔を拡大処理した画像データを前記車両内送受信機に送って前記モニタに表示させることを特徴とする。
【００１３】
請求項７に記載の考案は、請求項５または６記載の考案において、前記車両側カメラからの画像データを解析して顔画像と手及び胴体の線図とを組み合わせて特定人物のさらなる明確化を行う画像処理部を有することを特徴とする。
【考案の効果】
【００１４】
本考案によれば、異常事態が発生した場合に発生要因を特定することができる装身具型送信機、車両内送受信機、及び監視装置の提供を実現することが可能となる。
【図面の簡単な説明】
【００１５】
【図１】（ａ）、（ｃ）〜（ｅ）は、本考案に係る装身具型送信機の一例を示す外観図であり、（ｂ）は（ａ）のＩｂ−Ｉｂ線断面図である。
【図２】本考案に係る装身具型送信機の装着例と、車両内送受信機との搭載例を説明するための説明図である。
【図３】本考案に係る装身具型送信機、車両内送受信機、及び監視装置のブロック図の一例である。
【図４】図３に示した装身具型送信機、車両内送受信機、及び監視装置の動作を説明するためのシーケンス図の一例である。
【図５】図３に示した装身具型送信機、車両内送受信機、及び監視装置の動作を説明するためのシーケンス図の他の一例である。
【図６】（ａ）は、平常時の電車内の様子を説明するための説明図であり、（ｂ）は、本考案にかかる監視装置の正面図である。
【図７】電車内で痴漢が被害者に痴漢行為を働いている状態を示す図である。
【図８】被害者が装身具型送信機のスイッチを押した状態を示す図である。
【図９】図９は被害者が装身具型送信機１０で痴漢を撮影している状態を示す図である。
【図１０】電車内で乗客らが痴漢を取り押さえる状態を示す図である。
【図１１】（ａ）は、図６に示した車両内送受信機の第１モニタの画像と第２モニタの画像とを表示し、（ｂ）は、図７に示した車両内送受信機の第１モニタの画像と第２モニタの画像とを表示し（ｃ）は、図７に示した車両内送受信機の第１モニタの画像と第２モニタの画像とを表示し、（ｄ）は、図８に示した車両内送受信機の第１モニタの画像と第２モニタの画像とを表示している。
【図１２】異常事態が収拾した時に表示される車両内送受信機２０の第１モニタ２０ａの画像と第２モニタ２０ｂの画像の一例を示している。
【図１３】（ａ）は、監視装置３０のモニタ３０ｂに表示される画像の一例であり、（ａ）は車両内送受信機２０の第１モニタ２０ａに表示される画像の一例であり、（ｃ）は、車両内送受信機２０の第２モニタ２０ｂに表示される画像の一例である。
【図１４】車両内送受信機２０に表示される、痴漢防止対策のための画面の一例である。
【図１５】装身具型送信機の充電の様子を示す一例である。
【考案を実施するための形態】
【００１６】
以下に本考案の実施形態について、図面を参照して詳細に説明する。
【００１７】
本実施の形態では電車内での痴漢発生の場合について説明する。
図１（ａ）、（ｃ）〜（ｅ）は、本考案に係る装身具型送信機の一例を示す外観図であり、図１（ｂ）は図１（ａ）のＩｂ−Ｉｂ線断面図である。
図１（ａ）、（ｂ）に示す装身具型送信機１０−１は、Ｕ字型のピン１０−１ａと、ピン１０−１ａに固定された造形装飾小片１０−１ｂと、造形装飾小片１０−１ｂに設けられたスイッチ１０−１ｃ及びＣＣＤ（Ｃｈａｒｇｅ  Ｃｏｕｐｌｅｄ  Ｄｅｖｉｃｅ：電荷結合素子）カメラ１０−１ｄと、を有するバッチ型の送信機であり、ネクタイピン式に装着できるようになっている。図には示されないアンテナ及び電源は、造形装飾小片１０−１ｂに内蔵されている。
スイッチ１０−１ｃは、押される面が造形装飾小片１０−１ｂの面より内側に位置するように形成されており、装身具型送信機１０−１の装着時に他人の体やユーザーＵの指等が不用意に触れてオンになるのを防止するようになっている。
造形装飾小片１０−１ｂは、合成樹脂からなる円盤状の容器内に、スイッチ１０−１ｃが押されると、異常報知信号を発生する異常報知信号発生部としてのＲＯＭ（Ｒｅａｄ  Ｏｎｌｙ  Ｍｅｍｏｒｙ：読み出し専用メモリ）と、後述する車両内送受信機に送信するための送信部と、を有する。
造形装飾小片１０−１ｂは、後述するＬＥＤ（Ｌｉｇｈｔ  Ｅｍｍｉｔｅｄ  Ｄｉｏｄｅ：発光素子）を有し、スイッチ１０−１ｃが押されると点滅するようになっている。このＬＥＤの点滅動作及び異常報知信号の送信動作は、スイッチを長押し（例えば、５秒）するとオフするようになっている。なお、造形装飾小片１０−１ｂの形状は、図では円形となっているが、限定されるものではなく、矩形、星形、多角形、楕円形、花びら形等の通常のバッチチ形状のいずれであってもよい。
【００１８】
図１（ｃ）に示す装身具型送信機１０−２は、リング状の本体１０−２ａと、リング本体１０−２ａに設けられたスイッチ１０−２ｂと、リング本体１０−２ａに設けられたＣＣＤカメラ１０−２ｃと、本体１０−２ａの一部を構成し、周方向に伸縮自在な伸縮部１０−２ｄと、を有するブレスレット型の送信機である。
リング本体１０−２ａのスイッチ１０−２ｂの両側にはフランジ状の突起１０−２ｅが形成されており、装身具型送信機１０−２の装着時にユーザーＵの指等が不用意に触れてオンになるのを防止するようになっている。
この装身具型送信機１０−２も装身具型送信機１０−１と同様の構成であり、同様の動作を行う。以下の装身具型送信機１０−３〜１０−４も同様である。
【００１９】
図１（ｄ）に示す装身具型送信機１０−３は、例えばサイの形状を有する本体１０−３ａと、本体１０−３ａの中央に設けられたスイッチ１０−３ｂと、本体１０−３ｂのうちのサイの目の位置に設けられたＣＣＤカメラ１０−３ｃと、を有するブローチ型の送信機である。
スイッチ１０−３ｂの近傍には矢印方向にスライドするロックスイッチ１０−３ｄが設けられており、装身具型送信機１０−３の装着時に他人の体やユーザーＵの指等が不用意に触れてオンになるのを防止するようになっている。
【００２０】
図１（ｅ）に示す装身具型送信機１０−４は、鬼の顔の形状を有する本体１０−４ａと、本体１０−４ｄの鼻の位置に設けられたスイッチ１０−４ｂと、本体１０−４ｄの眉間の位置に設けられたＣＣＤカメラ１０−４ｃと、を有するブローチ型の送信機である。
鬼の角１０−４ｄは、スイッチ１０−４ｂのロックスイッチであり、装身具型送信機１０−４の装着時に他人の体やユーザーＵの指等が不用意に触れてオンになるのを防止するようになっている。
【００２１】
なお、本考案に係る装身具型送信機は、上述した実施の形態に限定されるものではなく、ＣＣＤカメラ１０−４ｃは省略してもよい（この場合、低コスト化、軽量化、小型化を図ることができる）。また、本考案に係る装身具型送信機の形状は、バッチ、ブレスレット、サイ、鬼の顔に限定されるものではなく、イヤリング、ペンダント、ボールペン、万年筆、シャープペン等の形状であってもよく、ヘッドホンに組み込んだりハンドバックに組み込んだりしても良い。
【００２２】
図２は、本考案に係る装身具型送信機の装着例と、車両内送受信機との搭載例を説明するための説明図である。
図２に示すユーザーＵは図１に示した装身具型送信機１０−１〜１０−４を装着した場合を示している。
車両内送受信機２０が車両内の内壁のドアより高い位置に設けられている。この車両内送受信機２０は、箱状の筐体２０ｎに第１モニタ２０ａ、第２モニタ２０ｂ、カメラ２０ｃ、及びスピーカ２０ｄを有する。
筐体２０ｎが合成樹脂の場合には内部にアンテナ（例えば、ループアンテナ）が設けられ、筐体２０ｎが金属の場合には筐体２０ｎの外部に無指向性アンテナ（例えばヘリカルショートアンテナ）が設けられる。
【００２３】
第１モニタ２０ａ及び第２モニタ２０ｂは、通常時は路線案内、停車駅名、次停車駅名、もしくは広告等を放映し、異常時、すなわち異常報知信号を受信するとカメラ２０ｃの画像及び異常事態（痴漢発生、暴力事件発生、急病人発生、けが人発生、指名手配者乗車等）が発生した旨の情報、対応措置の情報等を表示するようになっている。
【００２４】
カメラ２０ｃは、レドーム内に収納されている。カメラ２０ｃは、常時車内を撮影することができるようになっており、撮影した画像データを録画すると共に一定時間（例えば３分間）だけ記録が残るように一定時間前までの画像データを消去しておき、送信機１０−４、１０−１２からの異常報知信号を受信してから送信機１０−４、１０−１２から停止信号が送信されるまで車両内送受信機のＲＡＭ（Ｒａｎｄｏｍ  Ａｃｃｅｓｓ  ＭｅｍｏｒｙまたはＨＤＤ（Ｈａｒｄ  Ｄｉｓｋ  Ｄｒｉｖｅ））に記録されるようになっている。
【００２５】
スピーカ２０ｄは、車内放送や非常事態発生時のメッセージ等を放送するためのものである。
【００２６】
図３は、本考案に係る装身具型送信機、車両内送受信機、及び監視装置のブロック図の一例である。
＜装身具型送信機＞
装身具型送信機１０は、スイッチ１０ｃ、カメラ１０ｄ、ＲＡＭ１０ｅ、画像処理部１０ｆ、送信部１０ｇ、ＲＯＭ１０ｈ、ＬＥＤ１０ｉ、制御部１０ｊ、バスライン１０ｋ、及びアンテナ１０ｍを有する。なお、電源は、一次電池、二次電池、ソーラーバッテリー及びこれらの組み合わせが挙げられる（図示省略）。
スイッチ１０ｃは、ユーザーＵにより押されると、異常報知信号を発生するためのスイッチであり、例えば、押しボタンスイッチが挙げられる。
制御部１０ｊは、装身具型送信機１０の動作を統括制御する回路であり、例えばマイクロプロセッサが挙げられる。
ＲＯＭ１０ｈは、装身具型送信機１０の動作を統括制御するためのプログラムや異常報知信号パターンが記録されており、例えばマスクＲＯＭが挙げられる。
カメラ１０ｄは、ユーザーＵがスイッチ１０ｃを押されると撮影動作を開始し、画像データを、バスライン１０ｋを介して画像処理部１０ｆに送るようになっている。
画像処理部１０ｆは、カメラ１０ｄからの画像データの手ブレ補正やγ補正等の補正処理を行う。
ＲＡＭ１０ｅは、補正処理後の画像データを一時的に記録するためのものであり、着脱自在となっているが、ＵＳＢポートを設けることにより外部のＰＣ（Ｐａｒｓｏｎａｌ  Ｃｏｍｐｕｔｏｒ）に記録した画像データを転送できるように構成してもよい。ＲＡＭ１０ｅは、着脱自在とする場合にはフラッシュメモリが挙げられる。ＲＡＭ１０ｅは固定式の場合にはＳＲＡＭ（Ｓｔａｔｉｃ  ＲＡＭ）が挙げられる。
ＬＥＤ１０ｉは、点滅することで動作中であることを示すためのインジケータである。なお、電池の容量が低下した場合には動作中とは異なる間隔で点滅するようにしてもよい。
送信部１０ｇは、装身具型送信機１０から車両内送受信器２０−１に異常報知信号及び画像データを、アンテナ１０ｍを介して送信するための回路である。
【００２７】
図中、破線Ｌ１は、装身具型送信機１０の最小限度の構成を示し、破線Ｌ２は、ＬＥＤを有する場合の構成を示している。最小限度の構成を有する場合には、カメラ１０ｄやＬＥＤ１０ｉを有さないので、その分だけ小型軽量省エネルギー化を図ることができる。
【００２８】
＜車両内送受信機＞
車両内送受信機２０−１は、第１モニタ２０ａ、第２モニタ２０ｂ、カメラ２０ｃ、スピーカ２０ｄ、ＲＡＭ２０ｅ、設定部２０ｆ、受信部２０ｇ、ＲＯＭ２０ｈ、制御部２０ｉ、画像処理部２０ｉ、Ｉ／Ｏ２０ｋ、バスライン２０ｍ、及びアンテナ２０ｎを有する。
車両内送受信機２０−１は、車両内をくまなく撮影することができるように同一編成の各車両内（例えば、各ドアの上側の内壁）に複数台ずつ搭載されるものとする。
【００２９】
第１モニタ２０ａ及び第２モニタ２０ｂは、前述したように、通常は鉄道情報や広告等を放映し、異常報知信号を受信するとカメラ２０ｃの画像及び異常事態が発生した旨の情報、対応措置の情報等を表示するためのモニタであり、例えば、液晶表示素子が挙げられる。いずれのモニタにどの画像を表示させるのかは後述する設定部２０ｆにより設定される。
【００３０】
カメラ２０ｃは、車両内の一部の領域（例えばドア付近を含む半径数ｍの扇状の領域）を撮影するように固定式となっている。すなわち、カメラ２０ｃは、レドーム内から車内を撮影するようになっているが、監視装置３０からの遠隔操作により特定のカメラの向きを変えることができるように構成してもよい。また、カメラ２０ｃのレンズは、監視装置３０からの遠隔操作により標準レンズの他に望遠レンズや魚眼レンズに切り換えることができるように構成してもよい。
【００３１】
スピーカ２０ｄは、通常時は停車予定駅名、停車駅名、緊急停止や列車遅延等の鉄道情報を放送し、異常発生時は痴漢被害者の保護及び容疑者の拘束の協力の要請や、避難、誘導等の情報を放送するためのものである。
【００３２】
制御部２０ｉは、車両内送受信機２０−１の動作を統括制御するための回路であり、例えばマイクロプロセッサが挙げられる。
ＲＯＭ２０ｈは、車両送受信器２０−１の動作プログラムが格納されており、例えばマスクＲＯＭが挙げられる。
ＲＡＭ２０ｅは、画像処理部１０ｆからの補正された画像データを一時的（例えば、常時録画すると共に過去３分前の画像データを消去することにより一定時間だけ記録するものである）に蓄積する着脱自在な回路であり、監視装置３０のＨＤＤが故障したときのため予備的に用いられる。
設定部２０ｆは、例えば車両内送受信機２０−１がどの位置に設置されているのかを示すデータを車両搭載時に入力したり、スピーカ２０ｄの音量を調節したり、第１モニタ２０ａ、第２モニタ２０ｂの輝度を調節したり、ＲＡＭ２０ｅに画像データを記録する記録時間を設定したりするための回路である。
【００３３】
受信部２０ｇは、装身具型送信機１０からの異常報知信号及び画像データを、アンテナ２０ｎを介して受信するための回路である。
画像処理部２０ｊは、カメラ２０ｃからの画像データの階調補正、色調補正、顔抽出、モザイク処理等の処理を行う回路である。モザイク処理については、プライバシーの保護等を考慮した場合、設定部２０ｆの設定により、装身具型送信機１０からの顔画像を除いて顔にモザイク処理を施すことが可能となっている。なお、モザイク処理前の画像データは、別途ＲＡＭ２０ｅもしくは図示しないＨＤＤに記録できるように構成してもよい（証拠保全のためである。）。
【００３４】
Ｉ／Ｏ２０ｋは、車両内送受信機２０−１の画像データ及び異常報知信号を、ケーブル２１、合成装置２２を介して監視装置３０に送ったり、監視装置３０から車両内送受信器２０−１に制御信号を送ったりするための回路である。
【００３５】
ここで、１台の車両に搭載された車両内送受信機２０−１、２０−２、…、２０−ｎの各Ｉ／Ｏはケーブル２１−１〜２１−ｎを介して副合成器２２に接続され、他の車両に搭載された車両内送受信機のＩ／Ｏはケーブルを介して他の副合成器に接続され、各副合成器２２の出力側ケーブルは主合成器２３に接続され、主合成器２３の出力は監視装置３０のＩ／Ｏ（３０ａ）に接続される。
＜監視装置＞
警報装置３０は、Ｉ／Ｏ（３０ａ）、モニタ３０ｂ、画像処理部３０ｃ、ＨＤＤ３０ｄ、ＲＯＭ３０ｅ、制御部３０ｆ、３０ｇ、バスライン３０ｈ、及び着脱自在なＲＡＭ３０ｉを有する。
【００３６】
Ｉ／Ｏ（３０ａ）は、信号の授受を行うため、各車両に搭載された車両内送受信機２０−１〜２０−ｎのＩ／Ｏ（２０ｋ）に副合成器２２、及び主合成器２３を介してケーブル接続されている。
モニタ３０ｂは、車両内送受信機２０−１〜２０−ｎの第１モニタ２０ａ及び第２モニタ２０ｂの画像を同一の画面に表示もしくはいずれか一方を選択して表示したり、拡大して表示したりできるようになっている。モニタ３０ｂは、人物の顔にモザイク処理後の画像及びモザイク処理前の画像のいずれかを選択して表示できる。
画像処理部３０ｃは、車両内送受信機２０−１〜２０−ｎのカメラ２０ｃで撮影された生の画像データをモザイク処理したり、車両内送受信機２０−１〜２０−ｎの画像処理部２０ｊの画像を拡大処理したりする。
すなわち、画像処理部３０ｃは、人物画像から顔画像を抽出したり、手や体の動作（特に、人物の手と他の人物の胴体との接触の有無、接触状況）を線図でモニタ３０ｂに表示したり、接触部位を拡大表示したり、顔にモザイク処理を施したりする。
【００３７】
ＨＤＤ３０ｄは、車両内送受信機２０−１〜２０−ｎの各カメラ２０ｃ（例えば、４ドア車両１５両編成の場合、４×２×１５＝１２０台）からの画像データを一定時間（例えば録画時間１時間）保存するようになっている。ＨＤＤ３０ｄは、装置内に固定されており、バックアップに用いられる。異常事態が生じなかった場合には録画した画像データを消去して再利用できることはいうまでもない。
【００３８】
ＲＯＭ３０ｅは、監視装置３０を統括制御する制御プログラムを格納する回路であり、例えばマスクＲＯＭが挙げられる。
【００３９】
ＲＡＭ３０ｉは、異常事態が生じた場合のモザイク処理前の画像のデータを保存するため（証拠保全のため）、記憶する着脱自在な記憶装置であり、例えばフラッシュメモリが挙げられる。
【００４０】
制御部３０ｆは、監視装置３０を統括制御する回路であり、例えばマイクロプロセッサが挙げられる。
【００４１】
操作部３０ｇは、監視装置３０を操作するための電源スイッチ、カメラ切替スイッチ、拡大縮小スイッチ、カメラ向き調整スイッチ（オプション）等のスイッチを有する。
【００４２】
図４は、図３に示した装身具型送信機、車両内送受信機、及び監視装置の動作を説明するためのシーケンス図の一例である。
＜通常時＞
装身具型送信機１０は、ユーザーＵ（図２参照。）の衣服や腕に装着された状態で待機状態となっている（ステップＳ１）。
このとき、車両内送受信機２０は、第１モニタ２０ａ及び第２モニタ２０ｂに通常画像（停車予定駅、広告等）を表示し（ステップＳ１０）、カメラ２０ｃで車内を撮影する（ステップＳ１１）。車両内送受信機２０は、カメラ２０ｃで撮影した画像データを監視装置３０に送信し（ステップＳ１２）、画像データをＲＡＭ２０ｅに録画すると共に（ステップＳ１３）、録画してから一定時間経過分を削除する。これは車両内送受信機２０を小型軽量化するためＲＡＭ２０ｅを用いており、容量がＨＤＤに比べて少ないからである（ステップＳ１４）。
【００４３】
監視装置３０は、モニタ３０ｂに通常画像を表示する（ステップＳ３０）。監視装置３０は、車両内送受信機２０からの画像データを受信すると（ステップＳ３１）、一定時間経過分の画像データを削除する。ただし、監視装置３０のＨＤＤ３０ｄは、車両内送受信機２０のＲＡＭ２０ｅの容量より大きくすることができる。録画の容量としては前述のように１時間としているが、これに限定されるものではなく、１日分（始発から終電まで）としてもよい。
【００４４】
＜異常発生時＞
ユーザーＵが、例えば、車両内で痴漢に襲われて、装身具型送信機１０のスイッチ１０ｃをオンすると（ステップＳ２）、装身具型送信機１０から異常報知信号及びカメラ１０ｄで撮影した画像データを車両内送受信機２０に送信する。このとき、カメラ１０は痴漢を撮影しているものとする（ステップＳ３）。
車両内送受信機２０は、装身具型送信機１０からの異常報知信号及び画像データを受信すると（ステップＳ１５）、監視装置３０に異常報知信号及び画像データを送信する（ステップＳ１６）。
監視装置３０は、車両内送受信機２０からの常報知信号及び画像データを受信すると（ステップＳ３３）、画像データの削除を停止する。これは異常発生してから収拾するまでの時間が未知数のため、最大限記録すると共に証拠保全を図るためである（ステップＳ３４）。
【００４５】
一方、車両内送受信機２０は、画像処理部２０ｊにより、装身具型送信機１０のカメラ１０ｄで撮影された画像データから特定人物である痴漢の顔画像を抽出し、痴漢以外の人物の顔にプライバシー保護のためモザイク処理を施す（ステップＳ１７）。
車両内送受信機２０は、画像処理後の車内画像を例えば第１モニタ２０ａに表示すると共に、第２モニタ２０ｂに異常が発生した旨（この場合、痴漢発生）、発生箇所（何号車の何番ドア付近かの情報）、救助要請等のメッセージを告知する（ステップＳ１８）。
【００４６】
他方、監視装置３０は、装身具型送信機１０からの特定人物（痴漢）の顔画像に基づいて拡大処理を施し（ステップＳ３５）、車両内送受信機２０に処理画像データ（好ましくは痴漢の顔の拡大静止画像）を送信する（ステップＳ３６）。
車両内送受信機２０は、監視装置３０からの処理画像データを受信すると（ステップＳ１９）、処理画像データを第１モニタ２０ａに表示する（ステップＳ２０）。
【００４７】
走行中もしくは停車中に車両内で痴漢が乗客や駅員に取り押さえられて異常発生事態が収拾し、ユーザーＵにより装身具型送信機１０のスイッチ１０ｃが長押しされると（ステップＳ４）、装身具型送信機１０から異常報知解除信号が車両内送受信機２０に送信される（ステップＳ５）。
車両内送受信機２０は、装身具型送信機１０からの異常報知解除信号を受信すると（ステップＳ２１）、監視装置３０に異常報知解除信号を送信すると共に（ステップＳ２２）、異常発生を解除した旨の表示を行う（ステップＳ２３）。
監視装置３０は、車両内送受信機２０からの異常報知解除信号を受信すると（ステップＳ３７）、一定時間経過分画像データ削除を再開することで異常発生事態が収拾する（ステップＳ３８）。
【００４８】
＜平常時＞
装身具型送信機１０は再び待機し（ステップＳ６）、車両内送受信機２０は通常画像表示を行い（ステップＳ２４）、監視装置３０は通常画像を表示する（ステップＳ３９）。
このような動作により、痴漢が特定され、被害者の救済と痴漢の取り押さえとが容易となり、冤罪が防止される。
【００４９】
なお、証拠保全のため、データのＰＣ等への転送や、ＲＡＭ１０ｅの取り出し等が行われることが想定される。
【００５０】
図５は、図３に示した装身具型送信機、車両内送受信機、及び監視装置の動作を説明するためのシーケンス図の他の一例である。
図５に示したシーケンス図は、装身具型送信機１０がカメラ１０ｄを搭載していない場合についてのシーケンス図である。図５に示したシーケンス図の図４に示したシーケンス図との相違点は、ユーザーＵがスイッチ１０ｃを押すことで装身具型送信機１０から異常報知信号が送信される点（ステップＳ４３、Ｓ４５）、車両内送受信機２０が装身具型送信機１０から異常報知信号を受信して（ステップＳ５６）、監視装置３０に異常報知信号を送信し（ステップＳ５７）、全顔画像にモザイク処理を施す点（ステップＳ５８）、及び監視装置３０が車両内送受信機２０からの異常報知信号を受信し（ステップＳ７３）、画像データ解析により人物（痴漢）を特定する点（ステップＳ７５）である。
【００５１】
すなわち、図５に示すステップＳ４１、Ｓ４２、Ｓ４４〜Ｓ４６は、図４に示すステップＳ１、Ｓ２、Ｓ４〜Ｓ６に相当し、図５に示すステップＳ５１〜Ｓ５５、Ｓ５９〜Ｓ６５は、図４に示すステップＳ１０〜Ｓ１４、Ｓ１８〜Ｓ２４に相当し、図５に示すステップＳ７０〜Ｓ７２、Ｓ７４、Ｓ７６〜Ｓ７９は、図４に示すステップＳ３０〜Ｓ３２、Ｓ３４、Ｓ３６〜Ｓ３９に相当するので、共通部分の説明は省略する。
つまり、車両内送受信機２０は、装身具型送信機１０から異常報知信号を受信すると、予め撮影中の画像データから顔にモザイク処理をした画像と異常が発生した旨のメッセージを表示すると共に、監視装置３０が画像を解析して人物（痴漢）を特定し、痴漢の顔画像を拡大した画像データを車両内送受信機２０に送信し、例えば第１モニタ２０ａに表示すると同時に第２モニタ２０ｂに痴漢が発生した旨と何号車の何番ドア付近であるかの表示を行う。
このような動作により、電車内での痴漢の特定と、被害者の救済と、痴漢の取り押さえと、が容易となり、冤罪の防止が期待できる。
【００５２】
＜車内の様子＞
図６（ａ）は、平常時の電車内の様子を説明するための説明図であり、図６（ｂ）は、本考案にかかる監視装置の正面図である。
最後尾の車両５０の内壁の上部に複数の車両内送受信機２０−１〜２０−ｎと副合成器２２とが配置されている。車掌室５１に車掌５４が乗車し、客室５２内に痴漢５３−３、ユーザーＵである被害者５３−２及び乗客５３−１、５３−４〜５３−ｍが乗車しているものとする。
車掌室５１には主合成器２３と監視装置３０とが配置されている。監視装置３０は、モニタ３０ｂ、操作部３０ｇを有する。モニタ３０ｂは車両内送受信機２０の第１モニタ２０ａの画像と第２モニタ２０ｂの画像とを表示している。
【００５３】
操作部３０ｇのスイッチ類を操作することでモザイク処理前の画像、モザイク処理後の画像、停車予定駅名、路線図、広告、メッセージ等を選択的に表示することができる。
車両内送受信機２０の第１モニタ２０ａには停車予定駅名が表示され、第２モニタ２０ｂには路線図が表示されている。監視装置３０のモニタ３０ｂにも停車予定駅名と路線図とが表示されている。
【００５４】
図７は、電車内で痴漢が被害者に痴漢行為を働いている状態を示し、図８は、被害者が装身具型送信機のスイッチを押した状態を示している。図９は、被害者が装身具型送信機１０で痴漢を撮影している状態を示し、図１０は、電車内で乗客らが痴漢を取り押さえる状態を示している。
【００５５】
図７において、痴漢５３−３がユーザーＵである被害者５３−２に痴漢行為を行っているが、この時点では他の乗客５３−１、５３−４、…、５３−ｍ、及び車掌５４は気が付いていない。
【００５６】
図８に示すように被害者５３−２は、予め装着していた装身具型送信機１０−１のスイッチ１０−１ｃを押すと、装身具型送信機１０から異常報知信号が車両内送受信機２０−１に送信され、車両内送受信機２０−１から車掌室５１内に配置された監視装置３０に送られる。
車掌５４が車内の異変に気づくと、監視装置３０のスイッチを操作して、冤罪防止のため、装身具型送信機１０から異常報知信号が発せられる数秒前の画像を解析、チェックして痴漢５３−３の痴漢行為を確認した上で全車両の全車両内送受信機２０−１〜２０−ｎに顔にモザイク処理を施した車内画像が送られる。車両内送受信機２０の第１モニタ２０ａには顔にモザイク処理された車内画像が表示され、第２モニタ２０ｂには救助を求める旨のメッセージ（例えば、「ＳＯＳ」）が表示される。この間痴漢行為の画像データは監視装置３０のＨＤＤ３０ｄやＲＡＭ３０ｉに保存されるようになっている。
【００５７】
図９に示すように被害者５３−２が装身具型送信機１０のカメラ１０ｄで痴漢５３−３の顔を撮影すると、装身具型送信機１０から痴漢５３−３の顔画像のデータが車両内送受信機２０に送信され、車両内送受信機２０の第１モニタ２０ａの顔画像の中から痴漢５３−３のモザイク処理が削除され、痴漢５３−３の顔が表示される。このとき、車掌室５１内の車掌５４が監視装置３０を操作することで痴漢５３−３の顔画像を拡大静止画像として表示させることができる。
図１０に示すように乗客５３−１、５３−４、…が痴漢５３−３に一斉に飛びかかって取り押さえることができる。また、車掌５４は図示しない列車無線で鉄道警察隊員５５もしくは警察官に連絡することで痴漢５３−３の逮捕に協力することができる。
【００５８】
このような場合において、電車内での痴漢の特定と、被害者の救済と、痴漢の取り押さえと、が容易となり、冤罪の防止が期待できる。
【００５９】
図１１（ａ）は、図６に示した車両内送受信機２０の第１モニタ２０ａの画像と第２モニタ２０ｂの画像とを表示し、図１１（ｂ）は、図７に示した車両内送受信機２０の第１モニタ２０ａの画像と第２モニタ２０ｂの画像とを表示し、図１１（ｃ）は、図７に示した車両内送受信機２０の第１モニタ２０ａの画像と第２モニタ２０ｂの画像とを表示し、図１１（ｄ）は、図８に示した車両内送受信機２０の第１モニタ２０ａの画像と第２モニタ２０ｂの画像とを表示している。
【００６０】
図１２は、異常事態が収拾した時に表示される車両内送受信機２０の第１モニタ２０ａの画像と第２モニタ２０ｂの画像の一例を示している。
例えば、車両内送受信機２０の第１モニタ２０ａに「ご協力ありがとうございました。」のメッセージを表示すると共に、第２モニタ２０ｂに路線案内図を表示することにより、異常発生事態が収拾したことを乗客に通知することができる。
【００６１】
図１３（ａ）は、監視装置３０のモニタ３０ｂに表示される画像の一例であり、図１３（ａ）は車両内送受信機２０の第１モニタ２０ａに表示される画像の一例であり、図１３（ｃ）は、車両内送受信機２０の第２モニタ２０ｂに表示される画像の一例である。
監視装置３０のモニタ３０ｂには被害者、痴漢、及び乗客の顔と手や胴体の線図とが表示され、痴漢行為及び痴漢の特定が容易となり、車両内送受信機２０の第１モニタ２０ａには痴漢の顔画像と、プライバシー保護等のためモザイク処理された被害者及び乗客の顔が表示されるので、電車内での痴漢の特定と、被害者の救済と、痴漢の取り押さえと、が容易となり、冤罪の防止が期待できる。
【００６２】
図１４は、車両内送受信機２０に表示される、痴漢防止対策のための画面の一例である。
例えば、車両内送受信機２０の第１モニタ２０ａに「刑法第１７６条（強制わいせつ罪）」の条文の抜粋を表示し、第２モニタ２０ｂに路線案内図を表示することが挙げられる。刑法第１７６条の条文を表示することで痴漢の抑制に効果が期待できる。
【００６３】
図１５は、装身具型送信機の充電の様子を示す一例である。
携帯電話６０からケーブル６１を介して装身具型送信機１０−１が充電されている様子が示されている。
例えば、電車内で装身具型送信機１０−１の電池の容量が低下した場合、ユーザーＵが所有する携帯電話６０の充電用コネクタに接続することで電源の供給を受けて充電もしくは通報動作をさせることができる。
【００６４】
以上において、本実施の形態によれば、電車内での痴漢の特定と、被害者の救済と、痴漢の取り押さえと、が容易となり、冤罪の防止が期待できる。
【００６５】
なお、上述した実施の形態は、本考案の好適な実施の形態の一例を示すものであり、本考案はそれに限定されることなく、その要旨を逸脱しない範囲内において、種々変形実施が可能である。例えば、上述の説明では、電車内での痴漢発生の場合について説明したが、本考案ではこれに限定されず、指名手配人、喧嘩、病人、けが人、泥水者、及び事故等の通報にも適用可能である。
【００６６】
また、上述した実施の形態では、車両内送受信機からのデータがケーブル及び合成器で監視装置に送られる場合で説明したが、本考案はこれに限定されるものではなく、無線ＬＡＮ（Ｌｏｃａｌ  Ａｒｅａ  Ｎｅｔｗｏｒｋ）を利用するように構成してもよい。
【符号の説明】
【００６７】
１０、１０−１、１０−２、１０−３、１０−４    装身具型送信機
１０−１ａ    ピン
１０−１ｂ    造形装飾小片
１０−１ｃ、１０−２ｂ、１０−３ｂ、１０−４ｂ、１０ｃ    スイッチ
１０−１ｄ、１０−２ｃ、１０−３ｃ、１０−４ｃ、１０ｄ    カメラ
１０−２ａ、１０−３ａ、１０−４ａ    本体
１０−２ｅ    突起
１０−２ｄ    伸縮部
１０−３ｄ、１０−４ｄ    ロックスイッチ
１０ｅ    ＲＡＭ
１０ｆ、２０ｊ、３０ｃ    画像処理部
１０ｇ    送信部
１０ｈ、２０ｈ、３０ｅ    ＲＯＭ
１０ｉ    ＬＥＤ
１０ｊ、２０ｊ、３０ｆ    制御部
１０ｋ、２０ｍ、３０ｈ    バスライン
２０、２０−１、２０−２、…、２０−ｎ    車両内送受信機
２０ａ    第１モニタ
２０ｂ    第２モニタ
２０ｃ    カメラ
２０ｄ    スピーカ
２０ｆ    設定部
２０ｇ    受信部
２０ｋ、３０ａ    Ｉ／Ｏ
２０ｎ    筐体
２１    ケーブル
２２    副合成器
２３    主合成器
３０    監視装置
３０ｂ    モニタ
３０ｄ    ＨＤＤ
３０ｇ    操作部
５０    車両
５１    車掌室
５２    客室
５３−１、５３−４、…、５３−ｍ    乗客
５３−２    被害者（ユーザーＵ）
５３−３    痴漢
５４    車掌                    
【図１】
0003167366.tif 000003
【図２】
0003167366.tif 000004
【図３】
0003167366.tif 000005
【図４】
0003167366.tif 000006
【図５】
0003167366.tif 000007
【図６】
0003167366.tif 000008
【図７】
0003167366.tif 000009
【図８】
0003167366.tif 000010
【図９】
0003167366.tif 000011
【図１０】
0003167366.tif 000012
【図１１】
0003167366.tif 000013
【図１２】
0003167366.tif 000014
【図１３】
0003167366.tif 000015
【図１４】
0003167366.tif 000016
【図１５】
0003167366.tif 000017
【手続補正書】
【提出日】平成23年2月18日(2011.2.18)
【手続補正１】
【補正対象書類名】明細書
【補正対象項目名】０００８
【補正方法】変更
【補正の内容】
【０００８】  請求項３に記載の考案は、車両内のドアより高い位置に設けられた箱状の筐体と、該筐体に設けられ前記車両の内部を撮影するための車両側カメラと、装身具型送信機からの異常信号を受信すると前記車両側カメラからの画像データを監視装置に送り、該監視装置で特定人物以外の顔にモザイクが施された画像を受け取って表示すると共に異常発生情報を表示するためのモニタと、前記装身具型送信機からの異常報知信号を受信すると警報を発するためのスピーカと、前記車両内のモニタ及びスピーカで異常の発生、発生箇所、及び発生状況を報知するように制御する制御回路と、を備えたことを特徴とする。
【手続補正２】
【補正対象書類名】明細書
【補正対象項目名】００１０
【補正方法】変更
【補正の内容】
【００１０】  請求項５に記載の考案は、車両内のドアより高い位置に設けられた箱状の筐体、該筐体に設けられ前記車両の内部を撮影するための車両側カメラ、前記筐体に設けられたモニタ、装身具型送信機からの異常報知信号を受信すると警報を発するためのスピーカ、及び車両内送受信機のモニタ及びスピーカで異常の発生、発生箇所、及び発生状況を報知するように制御する制御回路を有する車両内送受信機から画像データを解析して前記特定人物以外の顔にモザイク処理を施した画像を前記車両内送受信機に送って前記車両内装受信機のモニタに表示させる監視装置であって、箱形の筐体と、前記筐体に設けられ、前記車両内送受信機の第１モニタの画像及び第２モニタの画像を表示するモニタと、操作部と、を備えたことを特徴とする。
【手続補正３】
【補正対象書類名】実用新案登録請求の範囲
【補正対象項目名】全文
【補正方法】変更
【補正の内容】
【実用新案登録請求の範囲】
【請求項１】
装身具型の筐体と、  該筐体に設けられたスイッチと、  該スイッチが押されると異常報知信号を発生する異常報知信号発生手段と、  前記異常報知信号を、モニタ及びスピーカで異常の発生、発生箇所、及び発生状況を報知する車両内送受信機に送信するための送信回路と、を備えたことを特徴とする装身具型送信機。
【請求項２】
前記筐体に設けられ、前記スイッチが押されると撮影を開始する装身具側カメラと、  前記装身具側カメラの画像データを前記異常報知信号と共に前記送信回路で前記車両内送受信機に送信するように制御する送信機側制御回路と、を備えたことを特徴とする請求項１記載の装身具型送信機。
【請求項３】
車両内のドアより高い位置に設けられた箱状の筐体と、  該筐体に設けられ前記車両の内部を撮影するための車両側カメラと、  装身具型送信機からの異常信号を受信すると前記車両側カメラからの画像データを監視装置に送り、該監視装置で特定人物以外の顔にモザイクが施された画像を受け取って表示すると共に異常発生情報を表示するためのモニタと、  前記装身具型送信機からの異常報知信号を受信すると警報を発するためのスピーカと、  前記車両内のモニタ及びスピーカで異常の発生、発生箇所、及び発生状況を報知するように制御する制御回路と、を備えたことを特徴とする車両内送受信機。
【請求項４】
前記装身具型送信機から特定人物の顔の画像データを受信すると、前記車両側カメラからの画像データと前記装身具型送信機からの画像データとを解析処理して、前記モニタに特定人物以外の顔にモザイクが施された画像を表示することを特徴とする請求項３記載の車両内送受信機。
【請求項５】
車両内のドアより高い位置に設けられた箱状の筐体、該筐体に設けられ前記車両の内部を撮影するための車両側カメラ、前記筐体に設けられたモニタ、装身具型送信機からの異常報知信号を受信すると警報を発するためのスピーカ、及び車両内送受信機のモニタ及びスピーカで異常の発生、発生箇所、及び発生状況を報知するように制御する制御回路を有する車両内送受信機から画像データを解析して前記特定人物以外の顔にモザイク処理を施した画像を前記車両内送受信機に送って前記車両内送受信機のモニタに表示させる監視装置であって、 箱形の筐体と、前記筐体に設けられ、前記車両内送受信機の第１モニタの画像及び第２モニタの画像を表示するモニタと、操作部と、を備えたことを特徴とする監視装置。
【請求項６】
前記装身具型送信機から特定人物の顔の画像データを受信すると、前記特定人物の顔を拡大処理した画像データを前記車両内送受信機に送って前記モニタに表示させることを特徴とする請求項５記載の監視装置。
【請求項７】
前記車両側カメラからの画像データを解析して顔画像と手及び胴体の線図とを組み合わせて特定人物のさらなる明確化を行う画像処理部を有することを特徴とする請求項５または６記載の監視装置。